(57)【要約】  ウェットタオル及びドライタオルのディスペンサー（１０）は、ドライタオル（２０）及びウェットタオル（２２）（ペーパータオル又は拭き取りとも言われる）の両方を収容して小出しする。ディスペンサーは、ドライタオル及びウェットタオルを収容するために同軸状に配置された複数の区画（１４、１６）を含み、ディスペンサー内の空間を最も効率的に用いるために入れ子配置が好ましい。ディスペンサー（１０）の好ましい一の実施例は、実質的に円筒形状をして一端に取外し可能カバー（１８）を備えており、それぞれの区画内にタオルを装着可能にしている。
2007511422.tif 000002
【特許請求の範囲】
【請求項１】
ウェットタオル及びドライタオルのディスペンサーにおいて、
長手軸線を有する細長い容器部と、
前記容器部内に配置され、前記容器部をウェットタオル区画とドライタオル区画とに分割する内部壁であって、前記ウェットタオル区画がウェットタオルを受け、前記ドライタオル区画がドライタオルをそれぞれ受けるために、前記ウェットタオル区画とドライタオル区画とが前記容器部内に同軸状に配置され、前記ウェットタオル区画が前記ウェットタオルを小出しするためのウェットタオル通路を備え、前記ドライタオル区画が前記ドライタオルを小出しするためのドライタオル通路をそれぞれ備えた、内部壁と、
少なくとも前記ウェットタオル通路を覆うためのキャップと、
を含んでなることを特徴とするディスペンサー。
【請求項２】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１に記載のディスペンサー。
【請求項３】
前記ウェットタオル区画と前記ドライタオル区画とが、前記容器部内で同心状の入れ子状態となっていることを特徴とする請求項１に記載のディスペンサー。
【請求項４】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項３に記載のディスペンサー。
【請求項５】
前記ウェットタオル区画と前記ドライタオル区画とが、前記容器部内で積重なっていることを特徴とする請求項１に記載のディスペンサー。
【請求項６】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項５に記載のディスペンサー。
【請求項７】
前記細長い容器部が実質的に円筒形であることを特徴とする請求項１に記載のディスペンサー。
【請求項９】
前記ウェットタオル通路が前記カバーに配置されていることを特徴とする請求項８に記載のディスペンサー。
【請求項１０】
前記内部壁が取外し可能であることを特徴とする請求項１に記載のディスペンサー。
【請求項１１】
ウェットタオル及びドライタオルのディスペンサーにおいて、
ドライタオルを収容するための外側収容部分であって、該外側収容部分の一側面に配置されたドライタオル通路を備えた外側収容部分と、
ウェットタオルを収容するための内側収容部分であって、前記外側収容部分内に入れ子状態となり、該内側収容部分の一端に配置されたウェットタオル通路を備え、更に、実質的にシールされて前記ウェットタオルの水分を十分に保持する内側収容部分と、
を含んでなることを特徴とするディスペンサー。
【請求項１２】
前記外側収容部分及び内側収容部分が共同で、実質的に円筒形状を形成していることを特徴とする請求項１１に記載のディスペンサー。
【請求項１３】
ウェットタオル及びドライタオルのディスペンサーにおいて、
ドライタオルを収容するための外側区画を規定する外側壁を含む容器部であって、ドライタオルを小出しするために該外側区画へ開放されるドライタオル通路を含んでなる容器部と、
ウェットタオルを収容するための内側区画を規定し、前記容器部内に配置された内部壁と、
前記外側区画及び前記内側区画の利用を可能にするために、前記容器部に取外し可能に結合されたカバーであって、ウェットタオルを小出しするために、前記内側区画へ開放されるウェットタオル通路を含むカバーと、
を含んでなることを特徴とするディスペンサー。
【請求項１４】
前記内部壁が取外し可能であることを特徴とする請求項１３に記載のディスペンサー。
【請求項１５】
ウェットタオル及びドライタオルのディスペンサーにおいて、
長手軸線を有し、ウェットタオル区画とドライタオル区画とを規定する細長い容器部であって、前記ウェットタオル区画及び前記ドライタオル区画が前記容器部内に同軸状に配置され、前記ウェットタオル区画がウェットタオル通路を、前記ドライタオル区画がドライタオル通路をそれぞれ備えた細長い容器部と、
前記ドライタオル区画に配置され、前記ドライタオル通路を介して延びるドライタオルと、
前記ウェットタオル区画に配置され、前記ウェットタオル通路を介して延びるウェットタオルと、
少なくとも前記ウェットタオル通路を覆うためのキャップと、
を含んでなることを特徴とするディスペンサー。
【請求項１６】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１５に記載のディスペンサー。
【請求項１７】
前記ウェットタオル区画と前記ドライタオル区画とが、前記容器部内で同心状の入れ子状態となっていることを特徴とする請求項１５に記載のディスペンサー。
【請求項１８】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１７に記載のディスペンサー。
【請求項１９】
前記ウェットタオル区画と前記ドライタオル区画とが、前記容器部内で積重なっていることを特徴とする請求項１５に記載のディスペンサー。
【請求項２０】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１９に記載のディスペンサー。
【請求項２１】
前記細長い容器部が実質的に円筒形であることを特徴とする請求項１５に記載のディスペンサー。
【発明の詳細な説明】
【技術分野】
【０００１】
本発明は、タオル又はペーパータオルのディスペンザー（分配容器）に関し、より詳細には、内部スペースを効率的に利用するようにウェットタオル及びドライタオルを該ディスペンサー内に配置させた、ウェットタオル及びドライタオルのディスペンサーに関する。
【背景技術】
【０００２】
濡らされた又は事前に湿らされたタオル（ペーパータオル又は拭き取りとも言われる）のディスペンサーは、個人の衛生（例えば、赤ん坊用の拭き取り）から（例えば、事務所内、バスルーム内、台所内又は自動車内）の洗浄や消毒までの範囲における様々な使用において一般的なものとなった。これらのディスペンサーは、個々のウェットタオルを便利に小出しすることを可能にしつつウェットタオルの含水率を保持している。このようなディスペンサーの一例が特許文献１に、より詳細に開示されており、本記載を以って本明細書に組み入れられるものとする。
【０００３】
ウェットタオルは、乾いたタオル（ドライタオル）では提供し得ない、洗浄及び消毒能力を提供するものであるが、ウェットタオルと一緒にドライタオルを使用する必要がたびたびある。例えば、ドライタオルは、ウェットタオルを使って表面を洗浄した後に、該表面を乾燥させるために使用され得る。この必要性を満たすために、ディスペンザーはウェットタオル及びドライタオルの両方を保持して小出しするように設計されてきた。このようなディスペンザーの例が、特許文献２〜５に、より詳細に開示されており、本記載を以って本明細書に組み入れられるものとする。
【特許文献１】米国特許第４，０１７，００２号明細書
【特許文献２】米国特許第６，１８９，７３０号明細書
【特許文献３】米国特許第５，８０３，２４９号明細書
【特許文献４】米国特許出願公開第２００１／００１９０６４号明細書
【特許文献５】米国特許出願公開第２００１／００３５４１６号明細書
【発明の開示】
【発明が解決しようとする課題】
【０００４】
しかしながら、既存のウェットタオル及びドライタオルのディスペンサーは、（例えば、おむつ入れ又は自動車のドリンクホルダ内に）容易に詰め込み又は保管し得る便利なパッケージとされたウェットタオル及びドライタオルを提供しない。従い、もっと便利な容器内に、もっと効率的にウェットタオル及びドライタオルが配置されるようなウェットタオル及びドライタオルのディスペンサーに対する要望がある。
【課題を解決するための手段】
【０００５】
本発明の一態様によると、ウェットタオル及びドライタオルのディスペンサーは、長手軸線を有する細長い容器部と、前記容器部内に配置され、前記容器部をウェットタオル区画とドライタオル区画とに分割する内部壁と、を含んでなる。前記ウェットタオル区画がウェットタオルを受け、前記ドライタオル区画がドライタオルをそれぞれ受けるために、前記ウェットタオル区画とドライタオル区画とが前記容器部内に同軸状に配置される。前記ウェットタオル区画が前記ウェットタオルを小出しするためのウェットタオル通路を備え、前記ドライタオル区画が前記ドライタオルを小出しするためのドライタオル通路を備え、キャップが少なくとも前記ウェットタオル通路を覆っている。
【０００６】
一実施例では、前記ウェットタオル区画と前記ドライタオル区画とが、前記容器部内で同心状の入れ子状態となっている。他の実施例では、前記ウェットタオル区画と前記ドライタオル区画とが、前記容器部内で積重なっている。
【０００７】
本発明の他の態様によれば、ウェットタオル及びドライタオルのディスペンサーは、ドライタオルを収容するための外側収容部分と、ウェットタオルを収容するために該外側収容部分内に入れ子状態となっている内側収容部分と、を含んでなる。この外側収容部分は、該外側収容部分の一側面に配置されたドライタオル通路を備える。また、内側収容部分は、該内側収容部分の一端に配置されたウェットタオル通路を備える。更に、内側収容部分は、実質的にシールされて前記ウェットタオルの水分を十分に保持する。
【０００８】
本発明の更なる態様によれば、ウェットタオル及びドライタオルのディスペンサーは、ドライタオルを収容するための外側区画を規定する外側壁を備えた容器部を含んでなる。この容器部は、ドライタオルを小出しするために前記外側区画へ開放されるドライタオル通路を含む。内部壁は前記容器部内に配置され、ウェットタオルを収容するための内側区画を規定する。カバーは前記容器部に取外し可能に結合され、前記外側区画及び前記内側区画の利用を可能にしている。また、このカバーは、ウェットタオルを小出しするための、前記内側区画へ開放されるウェットタオル通路を含む。
【０００９】
本発明の更に別の態様によれば、ウェットタオル及びドライタオルのディスペンサーは、長手軸線を有し、ウェットタオル区画とドライタオル区画とを規定する細長い容器部を含んでなる。該ウェットタオル区画及びドライタオル区画は、前記容器部内に同軸状に配置され、該ウェットタオル区画がウェットタオル通路を、ドライタオル区画がドライタオル通路をそれぞれ備える。ドライタオルは、ドライタオル区画に配置され、ドライタオル通路を介して延びている。ウェットタオルは、ウェットタオル区画に配置され、ウェットタオル通路を介して延びている。キャップは、少なくともウェットタオル通路を覆っている。
【発明を実施するための最良の形態】
【００１０】
本発明におけるこれら並びに他の特徴及び利点は、添付図面と共に次の詳細な説明を読むことによってより良好に理解されるであろう。
【００１１】
図１〜図８を参照すれば、ウェットタオル及びドライタオルディスペンサー１０の様々な実施例が図示されて記載されている。一般に、ウェットタオル及びドライタオルディスペンサー１０の各実施例は、長手軸線２を有する細長い容器部１２を含んでなる。本明細書において、細長いという用語は、長手軸線２に沿った方向に長い寸法を有し且つ長手軸線２に交差する方向に短い寸法を有するという意味で用いられている。ドライタオル区画１４が（透視図で示される）ドライタオル２０を、ウェットタオル区画１６が（透視図で示される）ウェットタオル２２をそれぞれ保持するために、ドライタオル区画１４とウェットタオル区画１６とは、容器部１２内で同軸状に配置される。本明細書において、タオルという用語は、ペーパータオルや拭き取りを含むがこれに制限されること無く、あらゆる種類の吸収性を有する布又は紙をも指す広い意味で用いられている。
【００１２】
ドライタオル２０はドライタオル通路２４を介して、且つウェットタオル２２はウェットタオル通路２６を介してそれぞれ小出しされる。ドライタオル通路２４及びウェットタオル通路２６は、従来のタオルディスペンサーで使用されていたものと類似の構成を用いることができる。好適な一実施例では、ドライタオル区画１４は、ドライタオル通路２４を介してドライタオル２０が引き出されると、自由に回転することなくドライタオル２０の巻き出しを可能にする方法で、ドライタオル２０のロールを保持する。また、ドライタオル２０は、従来のタオルディスペンサーで使用されていた他の技術に基づいても、ドライタオル区画１４内に配置され得る。ウェットタオル区画１６は、ウェットタオル２２中の湿りを十分に保持できるように、実質的にシールされている。ウェットタオル２２は、従来のウェットタオルディスペンサーで使用されていた技術に基づいて、ウェットタオル区画１６内に配置され得る。
【００１３】
容器部１２は、他の形状とすることも考えられるが、もっとも効率的で便利なデザインを提供する実質的に円筒形状であることが好ましい。ディスペンサー１０は、容器部１２の少なくとも一端をカバーしつつ、ドライタオル２０及び／又はウェットタオル２２を容器部１２内に装着することを可能にする、少なくとも一つの取外し可能なカバー１８を含むことが好ましい。ウェットタオル２２の乾燥を防ぐために、キャップ２８が、少なくともウェットタオル通路２６を覆うように使用される。一の実施例では、キャップ２８はディスペンサー１０に、例えば、カバー１８に結合されたストラップ２９を用いて結合され得る（図３参照）。ドライタオル通路２４もまた、例えば、容器に付着されてドライタオル通路２４を覆う取外し可能な（図示しない）箔又はプラスチックバリヤーを用いて、使用前にシールされ得る。取外し可能な箔又はプラスチックバリヤーは、ドライタオルを利用する際に取り外される。
【００１４】
ウェットタオル及びドライタオルディスペンサー１０において、容器部１２内に同軸状に配置された区画１４、１６は、入れ子配列或いは積重ね配列となり得る。図１〜図３は、入れ子の同心区画１４、１６を備えたディスペンサーの様々な実施例を示す。これらの実施例では、ディスペンサー１０は、通常、長手軸線２に沿って、好ましくは同軸状に延びる内部壁３０と外側壁３２とを含んでなる。内部壁３０は外側壁３２と共に、ドライタオル区画１４又は外側収容部分を規定しつつ、且つ、内部壁３０はウェットタオル区画１６又は内側収容部分を規定する。ドライタオル２０は、好ましくは、ドライタオル２０の自由端が溝孔２４を介して延びるように、内部壁３０の周りに巻き取られている。一の実施例では、内部壁３０及びウェットタオル区画１６（すなわち、内側収容部分）は、取外し可能となり得る（図３参照）。                                    
【００１５】
ドライタオル通路２４は、好ましくは外側壁３２に沿って位置する溝穴であって、この実施例では、容器部１２のほぼ全長にわたって延びている。一実施例では、飛散物又は水分がドライタオル２０に吸収されるのを防ぐために、リップ部又はフード部３６が、ドライタオル通路２４上を覆うように容器部１２の外側壁３２から延びている（図１Ａ参照）。他の実施例では、ドライタオル通路２４を使用しない際に、該ドライタオル通路２４を（図示しない）ヒンジ式カバーで閉鎖し、ドライタオル２０を利用する際には該ヒンジ式カバーを開放させる。更なる実施例では、ドライタオル通路２４は、指でドライタオル２０のロールの端部を掴むことができるように、拡大された領域３４を含んでなる（図３参照）。更に別の実施例では、ドライタオルの裂断を促進するために、ドライタオル通路２４に沿って（図示しない）鋸歯状端が形成又は配置されている。
【００１６】
ウェットタオル通路２６は、好ましくはディスペンサー１０の一端に配置される。一の実施例では、ウェットタオル通路２６はカバー１８に配置され得る（図１及び図３参照）。他の実施例では、ウェットタオル通路２６はウェットタオル区画１６の端部に配置され得る（図２参照）。ドライタオル通路２４及びウェットタオル通路２６における他の配置及び構成も、また考えられる。例えば、ウェットタオル通路２６は、また、容器部１２の側部に配置されてもよい。
【００１７】
図４〜図８は、長手軸線２に沿って同軸状に積重ね配置されたドライタオル区画１４及びウェットタオル区画１６を備えたディスペンサー１０の様々な実施例を示す。これらの実施例では、ディスペンサー１０は、ドライタオル区画１４又は上部収容部分をウェットタオル区画１６又は下部収容部分から分離するために、一般に長手軸線２と交差して広がる内部壁４０を含んでなる。ディスペンサー１０のこの実施例は、また、ドライタオルのための主軸４２をまた含み得る（図５及び図７参照）。いくつかの実施例では、内部壁４０又はウェットタオル区画１６は、また、取外し可能であり得る（図６及び図７参照）。ドライタオルを装着するために、ドライタオル区画１４を覆う追加カバー４４が使用され得る（図４参照）。
【００１８】
これらの実施例では、ウェットタオル通路２６は、他の配置も考えられるが、好ましくはディスペンサー１０の端部（すなわち、カバー１８内）に配置される。これらの実施例では、ドライタオル通路２４は、好ましくはドライタオル区画１４の全長にわたって延びる溝穴である。ドライタオル区画１４とウェットタオル区画１６とは、ほぼ同じ長さを有するように図示されているが、詰め込まれて小出しされるドライタオル及びウェットタオルのそれぞれの分量に応じて他の長さとすることが熟慮される。
【００１９】
図８に示すように、取外し可能なウェットタオル区画１６の一実施例は、ウェットタオル区画１６内に事前に詰め込まれたウェットタオル２２を提供され得る。この実施例では、取外し可能シート４８がウェットタオル区画１６を覆い、ウェットタオル区画１６が容器部１２内に配置されるまでウェットタオル２２の含水率を保持している。このように、容器部１２は、ウェットタオル２２及びドライタオル２０の両方が再補充可能である。この概念は、図１〜図３に示された、入れ子の同心区画１４、１６を備えたディスペンサー１０にもまた適用され得る。
【００２０】
ディスペンサー１０はプラスチック又は他の好適な材料から形成され得る。様々な大きさ及び寸法が熟慮されるが、ディスペンサー１０は、携帯用及び保存し易い大きさであることが好ましい。例えば、容器部１２の直径は、自動車内のドリンクホルダに対応した寸法を有し得る。細長い容器部１２内におけるドライタオル２０及びウェットタオル２２の同軸配列は、空間を最大化し、ディスペンサー１０の携帯性を促進させる。
【００２１】
本明細書中に本発明の原理が記載される一方で、この詳細な説明は実施例のみに基づいて記載されているが、当業者であれば、本発明の範囲を限定するものではないと理解されよう。ここに示され、記載された実施例に加えて、他の実施例も本発明の範囲内で考慮される。当業者による改変及び置換は、特許請求の範囲によって制限されることなく、本発明の範囲であると考慮される。
【図面の簡単な説明】
【００２２】
【図１】本発明の一の実施例に基づいた、入れ子の同心区画を備えた、ウェットタオル及びドライタオルのディスペンサーを示す分解等角図である。
【図１Ａ】本発明の他の実施例に基づいた、入れ子の同心区画を備えた、ウェットタオル及びドライタオルのディスペンサーを示す断面図である。
【図２】本発明の他の実施例に基づいた、入れ子の同心区画を備えた、ウェットタオル及びドライタオルのディスペンサーを示す分解等角図である。
【図３】本発明の更なる実施例に基づいた、取外し可能な入れ子の区画を備えた、ウェットタオル及びドライタオルのディスペンサーを示す分解等角図である。
【図４】本発明の一の実施例に基づいた、積重ね区画を備えた、ウェットタオル及びドライタオルのディスペンサーを示す分解等角図である。
【図５】本発明の他の実施例に基づいた、積重ね区画を備えた、ウェットタオル及びドライタオルのディスペンサーを示す分解等角図である。
【図６】本発明の更なる実施例に基づいた、積重ね区画を備えた、ウェットタオル及びドライタオルのディスペンサーを示す分解等角図である。
【図７】本発明の更に別の実施例に基づいた、積重ね区画を備えた、ウェットタオル及びドライタオルのディスペンサーを示す分解等角図である。
【図８】図７に示されたディスペンサーで使用されるウェットタオル及びドライタオルを示す分解等角図である。
【符号の説明】
【００２３】
２  長手軸線
１０  ウェットタオル及びドライタオルディスペンサー
１２  容器部
１４  ドライタオル区画
１６  ウェットタオル区画
１８  カバー
２０  ドライタオル
２２  ウェットタオル
２４  ドライタオル通路
２６  ウェットタオル通路
２８  キャップ
２９  ストラップ
３０、４０  内部壁
３２  外側壁
４２  主軸
４４  追加カバー
４８  取外し可能シート
【図１】
2007511422.tif 000003
【図１Ａ】
2007511422.tif 000004
【図２】
2007511422.tif 000005
【図３】
2007511422.tif 000006
【図４】
2007511422.tif 000007
【図５】
2007511422.tif 000008
【図６】
2007511422.tif 000009
【図７】
2007511422.tif 000010
【図８】
2007511422.tif 000011
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
ウェットタオル及びドライタオルのディスペンサーにおいて、
長手軸線を有する細長い容器部と、
前記容器部内に配置され、前記容器部をウェットタオル区画とドライタオル区画とに分割する内部壁であって、前記ウェットタオル区画がウェットタオルを受け、前記ドライタオル区画がドライタオルをそれぞれ受けるために、前記ウェットタオル区画とドライタオル区画とが前記容器部内に同軸状に配置され、前記ウェットタオル区画が前記ウェットタオルを小出しするためのウェットタオル通路を備え、前記ドライタオル区画が前記ドライタオルを小出しするためのドライタオル通路をそれぞれ備えた、内部壁と、
少なくとも前記ウェットタオル通路を覆うためのキャップと、
を含んでなることを特徴とするディスペンサー。
【請求項２】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１に記載のディスペンサー。
【請求項３】
前記ウェットタオル区画と前記ドライタオル区画とが、前記容器部内で同心状の入れ子状態となっていることを特徴とする請求項１に記載のディスペンサー。
【請求項４】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項３に記載のディスペンサー。
【請求項５】
前記ウェットタオル区画と前記ドライタオル区画とが、前記容器部内で積重なっていることを特徴とする請求項１に記載のディスペンサー。
【請求項６】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項５に記載のディスペンサー。
【請求項７】
前記細長い容器部が実質的に円筒形であることを特徴とする請求項１に記載のディスペンサー。
【請求項８】
前記容器部が、前記ドライタオル及び前記ウェットタオルの前記容器部内への装着を可能にする取外し可能なカバーを含んでなることを特徴とする請求項１に記載のディスペンサー。
【請求項９】
前記ウェットタオル通路が前記カバーに配置されていることを特徴とする請求項８に記載のディスペンサー。
【請求項１０】
前記内部壁が取外し可能であることを特徴とする請求項１に記載のディスペンサー。
【請求項１１】
ウェットタオル及びドライタオルのディスペンサーにおいて、
ドライタオルを収容するための外側収容部分であって、該外側収容部分の一側面に配置されたドライタオル通路を備えた外側収容部分と、
ウェットタオルを収容するための内側収容部分であって、前記外側収容部分内に入れ子状態となり、該内側収容部分の一端に配置されたウェットタオル通路を備え、更に、実質的にシールされて前記ウェットタオルの水分を十分に保持する内側収容部分と、
を含んでなることを特徴とするディスペンサー。
【請求項１２】
前記外側収容部分及び内側収容部分が共同で、実質的に円筒形状を形成していることを特徴とする請求項１１に記載のディスペンサー。
【請求項１３】
ウェットタオル及びドライタオルのディスペンサーにおいて、
ドライタオルを収容するための外側区画を規定する外側壁を含む容器部であって、ドライタオルを小出しするために該外側区画へ開放されるドライタオル通路を含んでなる容器部と、
ウェットタオルを収容するための内側区画を規定し、前記容器部内に配置された内部壁と、
前記外側区画及び前記内側区画の利用を可能にするために、前記容器部に取外し可能に結合されたカバーであって、ウェットタオルを小出しするために、前記内側区画へ開放されるウェットタオル通路を含むカバーと、
を含んでなることを特徴とするディスペンサー。
【請求項１４】
前記内部壁が取外し可能であることを特徴とする請求項１３に記載のディスペンサー。
【請求項１５】
ウェットタオル及びドライタオルのディスペンサーにおいて、
長手軸線を有し、ウェットタオル区画とドライタオル区画とを規定する細長い容器部であって、前記ウェットタオル区画及び前記ドライタオル区画が前記容器部内に同軸状に配置され、前記ウェットタオル区画がウェットタオル通路を、前記ドライタオル区画がドライタオル通路をそれぞれ備えた細長い容器部と、
前記ドライタオル区画に配置され、前記ドライタオル通路を介して延びるドライタオルと、
前記ウェットタオル区画に配置され、前記ウェットタオル通路を介して延びるウェットタオルと、
少なくとも前記ウェットタオル通路を覆うためのキャップと、
を含んでなることを特徴とするディスペンサー。
【請求項１６】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１５に記載のディスペンサー。
【請求項１７】
前記ウェットタオル区画と前記ドライタオル区画とが、前記容器部内で同心状の入れ子状態となっていることを特徴とする請求項１５に記載のディスペンサー。
【請求項１８】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１７に記載のディスペンサー。
【請求項１９】
前記ウェットタオル区画と前記ドライタオル区画とが、前記容器部内で積重なっていることを特徴とする請求項１５に記載のディスペンサー。
【請求項２０】
前記ドライタオルを小出しするために、前記ドライタオル通路が前記容器部の一側面に配置され、前記ウェットタオルを小出しするために、前記ウェットタオル通路が該ディスペンサーの一端に配置されていることを特徴とする請求項１９に記載のディスペンサー。
【請求項２１】
前記細長い容器部が実質的に円筒形であることを特徴とする請求項１５に記載のディスペンサー。
【国際調査報告】
2007511422.tif 000012